(57)【特許請求の範囲】
【請求項１】
第１エレメントが、前記第１エレメントより太径の筒状の第２エレメント内を摺動して互いに軸方向に伸縮可能に連結して構成されるホイップアンテナにおいて、
前記第１エレメントは、少なくとも、棒状導体と、前記棒状導体を覆う被覆部と、前記棒状導体と前記第２エレメントとを接触させるスプリングと、前記棒状導体に固定される固定部とにより構成されており、
前記スプリングは、前記被覆部と前記固定部との間にあって、前記被覆部の自然長よりも前記被覆部を短くする位置に配置されるように、前記固定部の位置が定められることを特徴とするホイップアンテナ。
【請求項２】
第１エレメントが、前記第１エレメントより太径の筒状の第２エレメント内を摺動して互いに軸方向に伸縮可能に連結して構成されるホイップアンテナにおいて、
前記第１エレメントは、少なくとも、棒状導体と、前記棒状導体を覆う被覆部と、前記棒状導体と前記第２エレメントとを接触させるスプリングと、前記棒状導体に固定される固定部とにより構成されており、
前記スプリングが、前記被覆部をアンテナ先端方向に押圧した状態で、前記固定部の位置が定められることを特徴とするホイップアンテナ。
【請求項３】
第１エレメントが、前記第１エレメントより太径の筒状の第２エレメント内を摺動して互いに軸方向に伸縮可能に連結して構成されるホイップアンテナにおいて、
前記第１エレメントは、少なくとも、棒状導体と、前記棒状導体を覆う被覆部と、前記棒状導体と前記第２エレメントとを接触させるスプリングと、前記棒状導体に固定される固定部とにより構成されており、
前記第１エレメントは、前記スプリングの軸方向への移動を規制する突当部を有し、
前記スプリングは、前記突当部と前記固定部との間にあって、前記スプリングの自然長よりも前記接触部を短くする位置に配置されるように、前記固定部の位置が定められることを特徴とするホイップアンテナ。
【請求項４】
前記突当部は、前記棒状導体を覆う被覆部の端部にて形成されることを特徴とする請求項３に記載のホイップアンテナ。
【請求項５】
前記被覆部は前記第１エレメントの軸方向に伸縮可能な弾性を有する合成樹脂で構成されていることを特徴とする請求項１から請求項４のいずれか一つに記載のホイップアンテナ。
【請求項６】
前記スプリングは、前記第１エレメントの軸方向に伸縮可能な弾性を有することを特徴とする請求項１から請求項５のいずれか一つに記載のホイップアンテナ。
【請求項７】
前記スプリングは、少なくとも一端が細経の筒状で、他の部分が太径となっていることを特徴とする請求項１から請求項６のいずれか一つに記載のホイップアンテナ。
【請求項８】
前記固定部は、前記棒状導体を挿入しうる筒状に構成されており、前記棒状導体にカシメにより固定されるスリーブであることを特徴とする請求項１から請求項７のいずれか一つに記載のホイップアンテナ。
【請求項９】
第１エレメントが、前記第１エレメントより太径の筒状の第２エレメント内を摺動して互いに軸方向に伸縮可能に連結するとともに、少なくとも、棒状導体と、前記棒状導体を覆う被覆部と、前記棒状導体と前記第２エレメントとを接触させるスプリングと、前記棒状導体に固定される固定部とにより構成されているホイップアンテナを製造する方法において、
前記棒状導体を前記被覆部で覆う工程と、
前記棒状導体にスプリングを挿入する工程と、
前記固定部が前記スプリングを前記被覆部に押圧した状態で、前記固定部を前記棒状導体に固定する工程と、
を有するホイップアンテナの製造方法。
【請求項１０】
第１エレメントが、前記第１エレメントより太径の筒状の第２エレメント内を摺動して互いに軸方向に伸縮可能に連結するとともに、少なくとも、棒状導体と、前記棒状導体を覆う被覆部と、前記棒状導体と前記第２エレメントとを接触させるスプリングと、前記棒状導体に固定される固定部とにより構成されているホイップアンテナを製造する方法において、
前記スプリングを、前記突当部に突き当たるように、棒状導体に挿入する工程と、
前記固定部が前記スプリングを前記被覆部に押圧した状態で、前記固定部を前記棒状導体に固定する工程と、
を有するホイップアンテナの製造方法。
【発明の詳細な説明】
【０００１】
【発明が属する技術分野】
本発明は、ホイップアンテナに関し、エレメントの下部が電気的に接触して、給電されているいるホイップアンテナの構造に関する。
【０００２】
【従来の技術】
従来、携帯無線機は筐体１の外部又は内部にアンテナを設け、アンテナから電波を放射し、アンテナにより電波を捕捉して送受信動作を行っていた。特に、携帯電話機では、図６に示すように、携帯電話機の筐体１の上部に伸長可能なホイップアンテナ２を備えている。
【０００３】
また、細径のエレメント１０を太径のエレメント３０の内部に収納可能に配置して、テレスコープ状に収納して、携帯無線機１に収納した時のアンテナ長を短くした多段式のホイップアンテナもある。このような多段式ホイップアンテナは、上部エレメント１０の下部が下部エレメント３０と電気的に接触して、上部エレメント１０に給電することにより、上部エレメント１０と下部エレメント３０とが一つのエレメントとして一体に機能するように構成されている。
【０００４】
従来、多段伸縮式アンテナは放送受信機（いわゆる、ラジオ）に用いられるようなロッドアンテナと呼ばれるものが主であった。このロッドアンテナは、下部エレメントの先端を細く絞り、下部エレメント内部にバネ接点を設けて上部エレメントの外側に接触するようにしていた（例えば、特開平９−３０７３２４号公報）。
【０００５】
【発明が解決しようとする課題】
従来のロッドアンテナでは、下部エレメントと上部エレメントを接触させるバネ接点は、下部エレメントの内部に下側から挿入されて、下部エレメントの先端内部に設けられるものである。よって、このバネ接点が下部エレメント内部で回転して、上部エレメントと下部エレメントとが一時的に離れ、両エレメントの接触が不安定となることがあった。
【０００６】
また、この接触バネは、下部エレメント先端の内部に設けられていることから、下部エレメント内部で回転しないように固定することが困難であった。例えば、バネ接点の位置で、下部エレメントの外部からカシメ、溶接等をすると、バネ接点の形状が歪んでしまい、上部エレメントと下部エレメントととの適正な接触が確保できなくなるおそれがある。
【０００７】
このように、上部エレメントと下部エレメントとの接触が不安定になると、アンテナの電気長が変化し、アンテナの共振周波数が変化して、アンテナからの放射効率が低下してしまう問題があった。
【０００８】
本発明は、伸縮式のホイップアンテナにおいて、エレメントの確実な接触を確保できるホイップアンテナを提供することを目的とする。
【０００９】
【課題を解決するための手段】
第１の発明は、第１エレメント（上部エレメント１０）が、前記第１エレメントより太径の筒状の第２エレメント（下部エレメント３０）内を摺動して互いに軸方向に伸縮可能に連結して構成されるホイップアンテナにおいて、前記第１エレメントは、少なくとも、棒状導体（１５）と、前記棒状導体を覆う被覆部（チューブ１６）と、前記棒状導体と前記第２エレメントとを接触させるスプリングと、前記棒状導体に固定される固定部（スリーブ１９）とにより構成されており、前記スプリングは、前記被覆部と前記固定部との間にあって、前記被覆部の自然長よりも前記被覆部を短くする位置に配置されるように、前記固定部の位置が定められることを特徴とする。
【００１０】
第２の発明は、第１エレメント（上部エレメント１０）が、前記第１エレメントより太径の筒状の第２エレメント（下部エレメント３０）内を摺動して互いに軸方向に伸縮可能に連結して構成されるホイップアンテナにおいて、前記第１エレメントは、少なくとも、棒状導体（１５）と、前記棒状導体を覆う被覆部（チューブ１６）と、前記棒状導体と前記第２エレメントとを接触させるスプリングと、前記棒状導体に固定される固定部（スリーブ１９）とにより構成されており、前記スプリングが、前記被覆部をアンテナ先端方向に押圧した状態で、前記固定部の位置が定められることを特徴とする。
【００１１】
第３の発明は、第１エレメント（上部エレメント１０）が、前記第１エレメントより太径の筒状の第２エレメント（下部エレメント３０）内を摺動して互いに軸方向に伸縮可能に連結して構成されるホイップアンテナにおいて、前記第１エレメントは、少なくとも、棒状導体（１５）と、前記棒状導体を覆う被覆部（チューブ１６）と、前記棒状導体と前記第２エレメントとを接触させるスプリングと、前記棒状導体に固定される固定部（スリーブ１９）とにより構成されており、前記第１エレメントは、前記スプリングの軸方向への移動を規制する突当部を有し、前記スプリングは、前記突当部と前記固定部との間にあって、前記スプリングの自然長よりも前記接触部を短くする位置に配置されるように、（前記被覆部を押圧した状態で）、前記固定部の位置が定められることを特徴とする。
【００１３】
第４の発明は、第３の発明において、前記突当部は、前記棒状導体を覆う被覆部の端部（チューブ１６の端面）にて形成されることを特徴とする。
【００１４】
第５の発明は、第１〜第４の発明において、前記被覆部は前記第１エレメントの軸方向に伸縮可能な弾性を有する合成樹脂で構成されていることを特徴とする。
【００１５】
第６の発明は、第１〜第５の発明において、前記スプリングは、前記エレメントの軸方向に伸縮可能な弾性を有することを特徴とする。
【００１６】
第７の発明は、第１〜第６の発明において、前記スプリングは、少なくとも一端が細経の筒状で（両端の筒状部１８ａ）、他の部分が太径（中央の太径部１８ｂ）となっていることを特徴とする。
【００１７】
第８の発明は、第１〜第７の発明において、前記固定部は、前記棒状導体を挿入しうる筒状に構成されており、前記棒状導体にカシメにより固定されるスリーブ（１９）であることを特徴とする。
【００１８】
第９の発明は、第１エレメント（上部エレメント１０）が前記第１エレメントより太径の筒状の第２エレメント（下部エレメント３０）内を摺動して互いに軸方向に伸縮可能に連結するとともに、少なくとも、棒状導体（１５）と、前記棒状導体を覆う被覆部（チューブ１６）と、前記棒状導体と前記第２エレメントとを接触させるスプリング（１８）と、前記棒状導体に固定される固定部（スリーブ１９）とにより構成されているホイップアンテナを製造する方法において、前記棒状導体を前記被覆部で覆う工程と、前記棒状導体にスプリングを挿入する工程と、前記固定部が前記スプリングを前記被覆部に押圧した状態で、前記固定部を前記棒状導体に固定する工程と、を有する。
【００１９】
第１０の発明は、第１エレメント（上部エレメント１０）が、前記第１エレメントより太径の筒状の第２エレメント（下部エレメント３０）内を摺動して互いに軸方向に伸縮可能に連結するとともに、少なくとも、棒状導体（１５）と、前記棒状導体を覆う被覆部（チューブ１６）と、前記棒状導体と前記第２エレメントとを接触させるスプリング（１８）と、前記棒状導体に固定される固定部（スリーブ１９）とにより構成されているホイップアンテナを製造する方法において、前記スプリングを、前記突当部に突き当たるように、棒状導体に挿入する工程と、前記固定部が前記スプリングを前記被覆部に押圧した状態で、前記固定部を前記棒状導体に固定する工程と、を有する。
【００２０】
【発明の作用および効果】
第１の発明では、第１エレメントのスプリングが被覆部の自然長よりも被覆部を短くする位置に配置されるように固定部が固定されて、固定部によりスプリングの位置が定められるので、スプリングと被覆部とが接触した状態でスプリングが固定されることから、スプリングが被覆部と固定部との間で回転することがなく、第１エレメントと第２エレメントとが確実に接触する。
【００２１】
第２の発明では、第１エレメントのスプリングが被覆部をアンテナ先端方向に押圧した状態で、固定部が固定されて、固定部によりスプリングの位置が定められるので、スプリングと被覆部とが接触した状態でスプリングが固定されることから、スプリングが被覆部と固定部との間で回転することがなく、第１エレメントと第２エレメントとが確実に接触する。
【００２２】
第３の発明では、第１エレメントのスプリングの自然長よりもそのスプリングを短くする位置に配置されるように固定部が固定されて、固定部によりスプリングの位置が定められるので、スプリングと突当部とが接触した状態で、スプリングが固定されることから、スプリングが突当部と固定部との間で回転することがなく、第１エレメントと第２エレメントとが確実に接触する。
【００２４】
第４の発明では、突当部が棒状導体を覆う被覆部の端部にて形成されているので特別に突当部を設ける必要がない。
【００２５】
第５の発明では、被覆部は第１エレメントの軸方向に伸縮可能な弾性を有する合成樹脂で構成されているので、被覆部の反発力により、スプリングと被覆部とが確実に接触して、スプリングの回転を効果的に抑制することができる。
【００２６】
第６の発明では、スプリングは第１エレメントの軸方向に伸縮可能な弾性を有し、第７の発明では、スプリングは両端が細経の筒状で中央部が太径となっているので、スプリングが第１エレメントの軸方向に伸縮可能な弾性を有することから、スプリングの反発力によりスプリングと被覆部又は固定部とが確実に接触して、スプリングの回転を効果的に抑制することができる。
【００２７】
第８の発明では、固定部は棒状導体を挿入しうる筒状に構成されているので、固定部が簡単に製造することができる。さらに、固定部は棒状導体にカシメにより固定されるので、固定部を簡単に取り付けることができる。
【００２８】
第９の発明では、棒状導体を被覆部で覆う工程と、棒状導体にスプリングを挿入する工程と、スプリングを被覆部に押圧した状態で固定部を前記棒状導体に固定する工程と、を有するので、スプリングと被覆部とが接触した状態でスプリングが固定されることから、固定部によりスプリングの位置が定められることから、スプリングが被覆部と固定部との間で回転することがなく、第１エレメントと第２エレメントとが確実に接触するホイップアンテナを製造することができる。
【００２９】
第１０の発明では、スプリングを突当部に突き当たるまで棒状導体に挿入する工程と、固定部がスプリングを被覆部に押圧した状態で固定部を棒状導体に固定する工程と、を有するので、スプリングと突当部とが接触した状態でスプリングが固定されることから、固定部によりスプリングの位置が定められることから、スプリングが突当部と固定部との間で回転することがなく、第１エレメントと第２エレメントとが確実に接触するホイップアンテナを製造することができる。
【００３０】
【発明の実施の形態】
次に、本発明の第１の実施の形態について図面を参照して説明する。
【００３１】
図１は、本発明の実施の形態のホイップアンテナの伸長時の側面図である。
【００３２】
本発明の実施の形態のホイップアンテナ２は、上部エレメント１０の下部には下部エレメント３０が配置されており、両エレメントは下部エレメント３０の先端に固定されたジョイント金具３１で接続され、上部エレメント１０が下部エレメント３０内に収納可能に構成されている。
【００３３】
上部エレメント１０は棒状導体１５を中心に構成されており、この棒状導体１５は望ましくは超弾性合金で形成すると曲げ応力に対して変形しにくいエレメントが得られる。棒状導体１５の周囲は、絶縁性を有する合成樹脂製のチューブ１６により、導電性の金属製エレメントが露出しないように覆われている。
【００３４】
上部エレメント１０の上端にはコイルエレメント１１を内蔵する合成樹脂製のカバー１２が設けられている。また、カバー１２の下部には上部エレメント１０より太径な金具１３が設けられている。この金具１３は、アンテナ収納時に筐体１に取り付けられたサポート５０と接触して、コイルエレメント１１に高周波信号を供給する給電金具として機能している。さらに、金具１３の内側には合成樹脂製のジョイント１４が設けられており、上部エレメント１０と金具１３とを絶縁して固定している。
【００３５】
下部エレメント３０は金属製の線材を螺旋状に巻き回して中空の筒状のエレメントを構成して、下部エレメント３０内部の空間に上部エレメント１０が摺動して出し入れ可能なように構成されている。この線材は、ホイップアンテナ２の伸縮方向が長径（エレメントの径方向が短径）となる小判状の断面形状をしており、線材の断面積を小さくせず強度を確保しつつ、下部エレメント３０の外径を太くしないで内径を大きくするように構成されている。下部エレメント３０の周囲は絶縁性を有する合成樹脂製のチューブ３３により、導電性を有する線材が露出しないように覆われている。
【００３６】
下部エレメント３０の上端にはジョイント金具３１が固着されており、後述する上部エレメント１０に取り付けられているワッシャ１７と当接することにより、上部エレメント１０の上方向への摺動を制限して、上部エレメント１０が下部エレメント３０から抜けて脱落しないように構成されている。下部エレメント３０の下端には、下部エレメント３０より太径の金具３４が設けられており、アンテナ伸長時に筐体１に取り付けられたサポート５０と金具３４とが接触することにより、下部エレメント３０に高周波信号を供給する給電金具として機能している。
【００３７】
サポート５０は携帯無線機の筐体１（筐体表面を破線で示す）に取り付けられており、携帯無線機の送受信部に電気的に接続されており、ホイップアンテナ２に対して給電する給電用接点として機能する。このサポート５０はアンテナ伸長時には下部エレメント３０の下部に位置し、金具３４と接触して下部エレメント３０に給電している。
【００３８】
図２は、本発明の実施の形態のホイップアンテナの収納時の側面図である。
【００３９】
図２は、図１と異なり、ホイップアンテナ２は筐体１に収納されている。具体的には、上部エレメント１０は下部エレメント３０内部の空間に収納されており、下部エレメント３０は筐体１（筐体表面を破線で示す）の内部に設けられたアンテナ収納用の空間に収納されている。よって、アンテナ収納時にはカバー１２で覆われるコイルエレメント１１のみが筐体１から突出している。
【００４０】
アンテナ収容時には、上部エレメント１０は、ジョイント１４がジョイント金具３１と接する位置まで、下部エレメント３０の中に収納されるように下げられている。また、サポート５０は上部エレメント１０の上部（コイルエレメント１１のカバー１２の下部）に位置し、金具１３と接触してコイルエレメント１１に高周波信号を給電している。
【００４１】
図３は、図１に示すホイップアンテナの上部エレメント１０の側面図である。
【００４２】
上部エレメント１０を構成する棒状導体１５は、その大部分がチューブ１６により覆われているが、最下部はチューブ１６により覆われておらず、棒状導体１５が露出している。この棒状導体１５の露出部にはチューブ１６に近い位置から、ワッシャ１７、スプリング１８、スリーブ１９が順に棒状導体１５に挿入されて配置されている。
【００４３】
このワッシャ１７は、ジョイント金具３１に当接する上部エレメント１０の抜け止めとして、また、スプリング１８が棒状導体１５とチューブ１６との間に入り込んだり、チューブ１６に食い込んだりしないようなストッパーとして設けられている。また、スプリング１８は、両端に棒状導体１５の径に合致した内径を有する筒状部１８ａと、中央に太径部１８ｂとを有し、筒状部１８ａで棒状導体１５と接触しており、太径部１８ｂで上部エレメント１０の外側に位置する下部エレメント３０の内壁と接触して、上部エレメント１０と下部エレメント３０とを電気的に接触させている。スリーブ１９は中空の円筒形をしており、棒状導体１５に挿入されて棒状導体１５にカシメにて固着されている。
【００４４】
スプリング１８は、中央の太径部１８ｂの作用により軸方向に伸縮する弾性を有している。また、このスプリング１８は棒状導体１５に挿入されているが、スプリング１８自体が棒状導体１５に固定されているものではなく、棒状導体１５に固定されるスリーブ１９によりスプリング１８の取り付け位置が定まる。
【００４５】
さらに、チューブ１６を柔らかい合成樹脂製としているので、軸方向に押し付けられると縮むような弾性を有し、軸方向に押されることにより反発力を発生する。本実施の形態では、スプリング１８をチューブ１６の自然長よりチューブ１６を短くする位置に、チューブ１６を押し付けるように、スリーブ１９によりスプリング１８の位置が規制されて取り付けられているので、スプリング１８はチューブ１６から力を受ける。
【００４６】
本実施の形態では、スリーブ１９は筒状の形状をしているが、棒状導体１５に固定できる形状であれば他の形状（例えば、Ｕ字型）でもよい。また、スリーブ１９はカシメにより棒状導体１５に固定されているが、他の方法（例えば、溶接、接着等）により固着してもよい。
【００４７】
また、チューブ１６とスプリング１８との双方が弾性を有しているが、チューブ１６とスプリング１８との一方のみが弾性を有するように構成してもよい。
【００４８】
図４は、図３に示す上部エレメント１０の分解斜視図である。
【００４９】
棒状導体１５に、コイルエレメント１１、カバー１２、金具１３、ジョイント１４、チューブ１６等が組み付けられた上部エレメント１０には、下部に露出した棒状導体１５にワッシャ１７、スプリング１８が順に挿入され、組み付けられる。最後に、棒状導体１５にスリーブ１９が挿入され、スリーブ１９が棒状導体１５にカシメられることにより、棒状導体１５にワッシャ１７、スプリング１８、スリーブ１９が取り付けられる。
【００５０】
このスリーブ１９を棒状導体１５にカシメるときに、スプリング１８をチューブ１６の方向に押し付け、チューブ１６とスプリング１８とを（又はいずれか一方を）自然な長さよりも短くした状態に押圧してスリーブ１９をカシメることにより、スプリング１８はチューブ１６やスリーブ１９に強く押し付けられることになり、スプリング１８の回転を防止することができる。
【００５１】
図５は、図３に示すスプリング１８の斜視図である。
【００５２】
スプリング１８は、中央部がスリット状に打ち抜かれた（１８ｃ）金属薄板を丸めて構成されており、丸められた両端は筒状部１８ａを構成し、打ち抜かれた中央部を膨らませることにより、太径部１８ｂを構成している。よって、スプリング１８は、中央の太径部１８ｂが膨らんだり縮んだりすることにより、軸方向に伸縮する弾性を有している。
【００５３】
このように、本発明の実施の形態では、上部エレメント１０が下部エレメント３０と接触しつつ、下部エレメント３０内を摺動して伸縮可能なホイップアンテナにおいて、上部エレメント１０は、棒状導体１５と、棒状導体１５を覆うチューブ１６と、棒状導体１５と下部エレメント３０とを接触させるスプリング１８と、棒状導体１５に固定されるスリーブ１９とにより構成されており、スプリング１８は、チューブ１６とスリーブ１９との間にあって、チューブ１６の自然長よりもチューブ１６を短くする位置に配置されるように、チューブ１６をアンテナ先端方向に押圧した状態で、スリーブ１９の位置が定められて固定されるので、スプリング１８がチューブ１６とスリーブ１９との間で回転することがなく、上部エレメント１０と下部エレメント３０とがに確実に接触することができる。
【００５４】
さらに、チューブ１６を合成樹脂で構成しているので、チューブ１６が上部エレメント１０の軸方向に伸縮可能な弾性を有することから、スプリング１８とチューブ１６とが確実に接触して、スプリング１８の回転を効果的に抑制することができる。
【００５５】
さらに、スプリング１８は上部エレメント１０の軸方向に伸縮可能な弾性を有し、両端が細経の筒状で（１８ａ）、中央部が太径（１８ｂ）となっているので、スプリング１８が上部エレメント１０の軸方向に伸縮可能な弾性を有するので、スプリング１８とチューブ１６又はスリーブ１９とが確実に接触して、スプリング１８の回転を効果的に抑制することができる。
【００５６】
さらに、スリーブ１９は棒状導体１５を挿入しうる筒状に構成されているので、スリーブ１９を簡単に製造することができる。さらに、スリーブ１９は、棒状導体１５にカシメにより固定されるので、スリーブ１９を簡単に取り付けることができる。
【００５７】
また、上部エレメント１０を、棒状導体１５をチューブ１６で覆う工程と、棒状導体１５にスプリング１８を挿入する工程と、スプリング１８をチューブ１６に押圧した状態でスリーブ１９を棒状導体１５に固定する工程とを有する製造方法にて製造するので、スリーブ１９によりスプリング１８の位置が定められることから、スプリング１８がチューブ１６とスリーブ１９との間で回転することがなく、上部エレメント１０と下部エレメント３０とが確実に接触するホイップアンテナを製造することができる。
【図面の簡単な説明】
【図１】  本発明の実施の形態のホイップアンテナの伸長時の側面図である。
【図２】  図１に示すホイップアンテナの収納時の側面図である。
【図３】  図１に示すホイップアンテナの上部エレメントの側面図である。
【図４】  図３に示す上部エレメントの分解斜視図である。
【図５】  図３に示すスプリングの斜視図である。
【図６】  本発明に係るアンテナが適用される携帯無線機の斜視図である。
【符号の説明】
１    携帯無線機（筐体）
２    ホイップアンテナ
１０    上部エレメント
１１    コイルエレメント
１２    カバー
１３    金具
１４    ジョイント
１５    棒状導体
１６    チューブ
１７    ワッシャ
１８    スプリング
１８ａ  筒状部
１８ｂ  太径部
１８ｃ  太径部
１９    スリーブ
３０    下部エレメント
３１    ジョイント金具
３２    線材
３３    チューブ
３４    金具
５０    サポート
【図１】
0004629879.tif 000002
【図２】
0004629879.tif 000003
【図３】
0004629879.tif 000004
【図４】
0004629879.tif 000005
【図５】
0004629879.tif 000006
【図６】
0004629879.tif 000007